(57)【要約】  重量が軽く、かつ高温に耐え得る素材で製作される乾燥ダクト、及び乾燥ダクトが装着される洗濯機を提供する。本発明による乾燥ダクトアセンブリは、ダクトロアと、ダクトロアの上面を覆うダクトアッパと、ダクトロア及びダクトアッパの少なくとも一方の内周面に装着されるリフレクタと、ダクトロアの内側に提供されて熱を発生するヒータと、ダクトロアの一方に提供されて空気を吸入するファンアセンブリとを含む。
2009504307.tif 000002
【特許請求の範囲】
【請求項１】
ダクトロアと、
前記ダクトロアの上面を覆うダクトアッパと、
前記ダクトロア及び前記ダクトアッパの少なくとも一方の内周面に装着されるリフレクタと、
前記ダクトロアの内側に設けられ熱を発生するヒータと、
前記ダクトロアの一方に設けられて空気を吸入するファンアセンブリとを有する乾燥ダクトアセンブリ。
【請求項２】
前記ダクトロアの他方に連結されるダクトコネクタをさらに有する請求項１に記載の乾燥ダクトアセンブリ。
【請求項３】
前記ダクトロア、前記ダクトアッパ、前記ダクトコネクタの少なくとも１つが、射出成形されたプラスチック又はＳＰＳで形成されることを特徴とする請求項２に記載の乾燥ダクトアセンブリ。
【請求項４】
前記リフレクタが、金属板材にアルミニウムコーティング処理されたことを特徴とする請求項１に記載の乾燥ダクトアセンブリ。
【請求項５】
前記ヒータが前記ダクトロア内部に固定されるようにするヒータブラケットをさらに有する請求項１に記載の乾燥ダクトアセンブリ。
【請求項６】
前記リフレクタ及び前記ダクトロアの底面の一部が隆起して形成され、
上面が所定の深さで陥没して前記ヒータブラケットが固定されるようにする支持部をさらに有する請求項５に記載の乾燥ダクトアセンブリ。
【請求項７】
前記ダクトロア又は前記リフレクタの底面から陥没又は突出し、前記リフレクタが前記ダクトの内周面から所定間隔離隔するようにする離隔部をさらに有する請求項１に記載の乾燥ダクトアセンブリ。
【請求項８】
前記ダクトロアの底面の一方が段差を有して形成され、前記リフレクタと前記ダクトロアとの間に異物が流入することを防止する段差部をさらに有する請求項１に記載の乾燥ダクトアセンブリ。
【請求項９】
前記ファンアセンブリによって吸入される空気の漏洩が防止されるように、前記リフレクタの側面部が前記ダクトロアの側面部より高く延びることを特徴とする請求項１に記載の乾燥ダクトアセンブリ。
【請求項１０】
ダクトロアと、
該ダクトロアの上面を覆って空気流路を形成するダクトアッパと、
前記ダクトロア及び前記ダクトアッパの少なくとも一方の内周面に装着されるリフレクタと、
前記空気流路上に設けられ流入した空気を加熱するヒータと、
前記ファン装着部に設けられ空気を吸入するファンアセンブリと、
前記ダクトロア又は前記ダクトアッパの少なくとも一方に連結され、前記ファンアセンブリによって吸入された空気がドラム内部に流入するように案内するダクトコネクタとを有する乾燥ダクトアセンブリ。
【請求項１１】
前記ダクトロアの端部から延びて前記ダクトアッパを締結する締結部材が挿入される少なくとも１つの締結ボスをさらに有する請求項１０に記載の乾燥ダクトアセンブリ。
【請求項１２】
前記リフレクタが、前記ファン装着部を除いたダクトロアの内周面全体を覆うことを特徴とする請求項１０に記載の乾燥ダクトアセンブリ。
【請求項１３】
前記ファンアセンブリが、乾燥ファンと、前記乾燥ファンを駆動するファンモータと、前記ファンモータが収容されるモータハウジングと、前記ファンモータがモータハウジングに固定されるようにするモータマウントとを有する請求項１０に記載の乾燥ダクトアセンブリ。
【請求項１４】
前記ヒータを支持するヒータブラケットをさらに有し、
前記ダクトロア及び前記リフレクタの底面には、所定の高さで突出して前記ヒータブラケットを支持する支持部が形成されることを特徴とする請求項１０に記載の乾燥ダクトアセンブリ。
【請求項１５】
前記支持部の上面には所定の深さの陥没部が形成され、前記陥没部に前記ヒータブラケットが装着されることを特徴とする請求項１４に記載の乾燥ダクトアセンブリ。
【請求項１６】
前記支持部の下側に延びる締結ボスをさらに有し、
締結部材が前記リフレクタを貫通して前記締結ボスに挿入されることを特徴とする請求項１４に記載の乾燥ダクトアセンブリ。
【請求項１７】
前記ダクトアッパが前記ダクトロアに装着されるようにガイドするように、前記リフレクタの側面部が前記ダクトロアの側面部より長く延びることを特徴とする請求項１０に記載の乾燥ダクトアセンブリ。
【請求項１８】
上側枠部にシール部材が巻かれるプラスチック製又はＳＰＳ製のダクトロアと、
前記ダクトロアの上面を覆うダクトアッパと、
前記ダクトロアの内周面に装着される金属製のリフレクタと、
前記ダクトロア及び前記ダクトアッパの結合によって形成される空間内に設けられるヒータとを含む乾燥ダクトアセンブリ。
【請求項１９】
前記リフレクタは、表面がアルミニウムコーティング処理されることを特徴とする請求項１８に記載の乾燥ダクトアセンブリ。
【請求項２０】
前記リフレクタの側面部は、前記ダクトロアの側面部より長く延び、前記シール部材への熱伝逹と空気の漏洩が防止されることを特徴とする請求項１８に記載の乾燥ダクトアセンブリ。
【請求項２１】
前記リフレクタが、前記ダクトロアの内周面から所定間隔離隔することを特徴とする請求項１７に記載の乾燥ダクトアセンブリ。
【請求項２２】
前記ダクトロアの底面から突出して前記リフレクタが前記ダクトロアから離隔するようにする支持リブ又は支持ボスをさらに有する請求項１７に記載の乾燥ダクトアセンブリ。
【請求項２３】
プラスチック製又はＳＰＳ製のダクトロア及びダクトアッパと、
前記ダクトロア及び前記ダクトアッパの結合によって形成される空間に収容されるヒータと、
前記ダクトロア及び前記ダクトアッパのプラスチック製又はＳＰＳ製の部分と前記ヒータとの間に設けられる金属製のリフレクタと、
前記リフレクタが前記ダクトロア及び前記ダクトアッパのプラスチック製又はＳＰＳ製の部分から所定間隔離隔した状態で装着されるようにする離隔構造とを有する乾燥ダクトアセンブリ。
【請求項２４】
前記離隔構造が、前記ダクトロアの内周面又は前記リフレクタに、連続的又は不連続的に形成されることを特徴とする請求項２３に記載の乾燥ダクトアセンブリ。
【請求項２５】
前記離隔構造が、前記ダクトロアの底面から突出するリブ又はボスであることを特徴とする請求項２３に記載の乾燥ダクトアセンブリ。
【請求項２６】
前記離隔構造は、前記リフレクタの一部分が所定の深さで陥没し、下方に突出する形状であることを特徴とする請求項２３に記載の乾燥ダクトアセンブリ。
【請求項２７】
前記離隔構造が、成形工程によって形成されることを特徴とする請求項２６に記載の乾燥ダクトアセンブリ。
【請求項２８】
前記ダクトロアの内周面から突出して前記リフレクタを貫通する固定ボスをさらに有する請求項２３に記載の乾燥ダクトアセンブリ。
【請求項２９】
前記リフレクタを貫通した前記固定ボスの上端部が、熱融着によって前記リフレクタに固着されることを特徴とする請求項２８に記載の乾燥ダクトアセンブリ。
【請求項３０】
一端部に設けられるファン装着部、内周面に形成される段差部を有するダクトロアと、
前記ダクトロアを覆って空気流路を形成するダクトアッパと、
前記ダクトロアと前記ダクトアッパとの間に設けられ一端部が前記段差部に接するリフレクタと、
前記ファン装着部に装着されるファンアセンブリとを有する乾燥ダクトアセンブリ。
【請求項３１】
前記段差部が、前記ファン装着部から所定距離離隔した位置に形成されることを特徴とする請求項３０に記載の乾燥ダクトアセンブリ。
【請求項３２】
前記リフレクタの上面が、前記段差部と同一平面をなすか、段差部より低く位置することを特徴とする請求項３０に記載の乾燥ダクトアセンブリ。
【請求項３３】
前記段差部の上方に延びて前記リフレクタが前記ダクトロアから浮く現象を防止する延長部をさらに有する請求項３０に記載の乾燥ダクトアセンブリ。
【請求項３４】
前記延長部が前記段差部から水平方向に所定の長さで延び、前記リフレクタが前記延長部の下側に挟まれることを特徴とする請求項３３に記載の乾燥ダクトアセンブリ。
【請求項３５】
前記ダクトロアの内周面から突出するか、又は前記リフレクタの一部分が陥没して形成される離隔構造をさらに有する請求項３０に記載の乾燥ダクトアセンブリ。
【請求項３６】
前記空気流路内部が過熱しているか否かを感知するセンサと、
前記センサの外周面に巻かれるシール部材と、
前記ダクトロアの側面に所定の深さで陥没して前記シール部材が挿入される挿入溝と、
前記リフレクタの側面に所定の大きさで形成されて前記センサ部分だけ露出するようにされたセンサ孔とをさらに有する請求項３０に記載の乾燥ダクトアセンブリ。
【請求項３７】
洗濯物が投入されるドラムと、
前記ドラムが収容されるタブと、
前記タブの外部の一方に設けられ前記ドラム内部に熱風を供給する乾燥ダクトアセンブリと、
前記タブに連結されて前記タブから排出される湿潤空気が流れる凝縮ダクトとを有し、
前記乾燥ダクトアセンブリには、
プラスチック製又はＳＰＳ製のダクトロア及びダクトアッパと、
前記ダクトロア及び前記ダクトアッパの結合によって形成される空間に収容されるヒータと、
前記ダクトロア及び前記ダクトアッパのプラスチック製又はＳＰＳ製の部分と前記ヒータとの間に設けられる金属製のリフレクタと、
前記リフレクタが前記ダクトロア及び前記ダクトアッパのプラスチック製又はＳＰＳ製の部分から所定間隔離隔した状態で装着されるようにする離隔構造と、
外部空気を吸入して前記タブに送風するファンアセンブリとを有する洗濯機。
【請求項３８】
前記ダクトロアの一端部に連結されて熱風がタブ内部に流入するようにするダクトコネクタをさらに有する請求項３７に記載の洗濯機。
【請求項３９】
前記リフレクタが、金属板材の表面にアルミニウムコーティング処理されたものであることを特徴とする請求項３７に記載の洗濯機。
【請求項４０】
前記ヒータが前記ダクトロア内部に固定されるようにされたヒータブラケットと、
前記ダクトロアの底面の一部が隆起して形成され、その上面が所定の深さで陥没して前記ヒータブラケットが固定されるようにされた支持部とをさらに有する請求項３７に記載の洗濯機。
【請求項４１】
前記離隔構造が、前記ダクトロアの底面から突出するリブ又はボスと、前記リフレクタの一部分が所定の深さで陥没して下方に突出する形状の陥没部のいずれか一方であることを特徴とする請求項３７に記載の洗濯機。
【請求項４２】
前記ダクトロアの底面の一方が段差を有して形成され、前記リフレクタと前記ダクトロアとの間に異物が流入することを防止する段差部をさらに有する請求項３７に記載の洗濯機。
【請求項４３】
前記ファンアセンブリによって吸入される空気の漏洩が防止されるように、前記リフレクタの側面部が前記ダクトロアの側面部より高く延びることを特徴とする請求項３７に記載の洗濯機。
【請求項４４】
前記ダクトロアの端部から上方に突出して前記ダクトアッパの結合をガイドするガイドボスをさらに有する請求項３７に記載の洗濯機。
【請求項４５】
前記ダクトロアの内周面から突出し、前記リフレクタを貫通して上端部が熱融着によって前記リフレクタに固着される固定ボスをさらに有する請求項３７に記載の洗濯機。
【請求項４６】
前記空気流路内部が過熱しているか否かを感知するセンサと、
前記センサの外周面に巻かれるシール部材と、
前記ダクトロアの側面に所定の深さで陥没して前記シール部材が挿入される挿入溝と、
前記リフレクタの側面に所定の大きさで形成されて前記センサ部分だけ露出するようにされたセンサ孔とをさらに有する請求項３７に記載の洗濯機。
【発明の詳細な説明】
【技術分野】
【０００１】
本発明は洗濯機及びこれに装着される乾燥ダクトアセンブリに関する。
【背景技術】
【０００２】
一般に乾燥機付き洗濯機は、洗濯機能及び洗濯が終了した洗濯物を乾燥させるための乾燥機能の両方が実行可能な家電機器である。
【０００３】
より詳細には、乾燥機付き洗濯機は、乾燥過程でドラム内部の空気が外部に排出されることを特徴とする排気式と、ドラム内部の空気が外部に排出されずに洗濯機内部で循環することを特徴とする凝縮式とに大別される。また、凝縮式洗濯機には、タブの上部一方に乾燥ダクトが備えられ、乾燥ダクト内部にはヒータが装着され、ドラム内部に流入する空気を高温に加熱する。さらに、乾燥ダクトとドラムを覆うタブを連結する凝縮ダクトが備えられ、ドラムから排出される空気を低温状態に変化させる。さらに、凝縮ダクトを通過した空気は再び乾燥ダクト内部に流入する。さらに、乾燥ダクト内部で高温乾燥状態に変化し、ドラム内部に再流入する循環過程を繰り返す。
【０００４】
一方、乾燥ダクト内部には、高温の熱を発生するヒータ装置が内蔵される。また、ヒータに電源が供給されると約７００℃の熱が発生し、乾燥ダクト内部の空気は約１２０℃の温度を維持する。
【０００５】
前述した理由から、従来は乾燥ダクトがアルミニウムダイカスト過程により製造されていた。すなわち、高温にも耐えられるように金属素材で製作されていた。
【発明の開示】
【発明が解決しようとする課題】
【０００６】
しかし、従来は乾燥ダクトがダイカスト工法などで製造されるため、製造コストが増加するだけでなく、ドラム洗濯機の自重が増加し、運搬が困難であるという欠点があった。
【０００７】
さらに、乾燥ダクトの前面及び背面を支持する洗濯機のキャビネットにも乾燥ダクトの自重に十分に耐え得る程度の強度が求められ、洗濯機全体の製造コストが増加するという欠点があった。
【０００８】
また、乾燥ダクトがアルミニウムダイカスト工程によって製造される場合、ダクトが厚くなるので、洗濯機の体積が増加したり、ダクト内部の空間が狭くなるという欠点もあった。
【０００９】
本発明は上記の問題を解決するために提案されたものであり、重量が軽く、かつ高温に耐え得る素材で製作される乾燥ダクト、及び乾燥ダクトが装着される洗濯機を提供することを目的とする。
【００１０】
また、製造コストが減少し、ダクト内部の容積率が増加する乾燥ダクト、及び乾燥ダクトが装着される洗濯機を提供することを目的とする。
【課題を解決するための手段】
【００１１】
上記の目的を達成するための本発明による乾燥ダクトアセンブリは、ダクトロアと、ダクトロアの上面を覆うダクトアッパと、ダクトロア及びダクトアッパの少なくとも一方の内周面に装着されるリフレクタと、ダクトロアの内側に設けられて熱を発生するヒータと、ダクトロアの一方に提供されて空気を吸入するファンアセンブリとを含む。
【００１２】
また、他の態様における本発明の乾燥ダクトアセンブリは、一方にファン装着部が形成されるダクトロアと、ダクトロアの上面を覆って空気流路を形成するダクトアッパと、ダクトロア及びダクトアッパの少なくとも一方の内周面に装着されるリフレクタと、空気流路上に設けられて流入した空気を加熱するヒータと、ファン装着部に提供されて空気を吸入するファンアセンブリと、ダクトロア又はダクトアッパに連結され、ファンアセンブリによって吸入された空気がドラム内部に流入するように案内するダクトコネクタとを含む。
【００１３】
さらに他の態様における本発明の乾燥ダクトアセンブリは、上側枠部にシール部材が巻かれてプラスチック製又はＳＰＳ製のダクトロアと、ダクトロアの上面を覆うダクトアッパと、ダクトロアの内周面に装着される金属製のリフレクタと、ダクトロア及びダクトアッパの結合によって形成される空間内に提供されるヒータとを含む。
【００１４】
さらに他の態様における本発明の乾燥ダクトアセンブリは、プラスチック製又はＳＰＳ製のダクトロア及びダクトアッパと、ダクトロア及びダクトアッパの結合によって形成される空間に収容されるヒータと、ダクトロア及びダクトアッパのプラスチック製又はＳＰＳ製の部分とヒータとの間に設けられる金属製のリフレクタと、リフレクタがダクトロア及びダクトアッパのプラスチック製又はＳＰＳ製の部分から所定間隔離隔した状態で装着されるようにする離隔構造とを含む。
【００１５】
さらに他の態様における本発明の乾燥ダクトアセンブリは、一端部に設けられるファン装着部、内周面に形成される段差部を有するダクトロアと、ダクトを覆って空気流路を形成するダクトアッパと、ダクトロアとダクトアッパとの間に設けられて一端部が段差部に接するリフレクタと、ファン装着部に装着されるファンアセンブリとを含む。
【００１６】
一方、本発明による洗濯機は、洗濯物が投入されるドラムと、ドラムが収容されるタブと、タブの外部の一方に提供されてドラム内部に熱風を供給する乾燥ダクトアセンブリと、タブに連結されてタブから排出される湿り蒸気が流れる凝縮ダクトとを含み、乾燥ダクトアセンブリには、プラスチック製又はＳＰＳ製のダクトロア及びダクトアッパと、ダクトロア及びダクトアッパの結合によって形成される空間に収容されるヒータと、ダクトロア及びダクトアッパのプラスチック製又はＳＰＳ製の部分とヒータと間に設けられる金属製のリフレクタと、リフレクタがダクトロア及びダクトアッパのプラスチック製又はＳＰＳ製の部分から所定間隔離隔した状態で装着されるようにする離隔構造と、外部空気を吸入してタブに送風するファンアセンブリとを含む。
【発明の効果】
【００１７】
上記の構成を有する本発明の洗濯機及びこれに装着される乾燥ダクトアセンブリにより、乾燥ダクトの自重が大幅に減少する効果がある。
【００１８】
また、乾燥ダクトアセンブリが耐熱性に優れた素材のプラスチック射出物で製造されるので、高温での形状の変形、火災の発生などの問題が回避される効果がある。
【００１９】
また、本発明による乾燥ダクトアセンブリが装着される洗濯機の自重が減少することにより、洗濯機の運搬作業が容易になる効果がある。
【００２０】
また、乾燥ダクトアセンブリの自重が減少することにより、乾燥ダクトを支持するキャビネットに過度な圧力が加えられなくなり、高強度素材が必要ないという利点がある。従って、キャビネットを製作するための材料において選択の幅が広くなる付加的な効果もある。
【発明を実施するための最良の形態】
【００２１】
以下、図面を参照して本発明の具体的な実施形態を詳細に説明する。しかし、本発明の思想は提示される実施形態に制限されるものではなく、他の構成要素の追加、変更、削除などにより、退歩的な他の発明や本発明の思想の範囲に含まれる他の実施形態を容易に提案できる。
【００２２】
図１は本発明の思想による乾燥ダクトアセンブリが備えられた洗濯機を示す外観斜視図である。
【００２３】
以下、乾燥機付きドラム洗濯機の一実施形態を説明する。
【００２４】
図１に示すように、本発明による洗濯機１０は、キャビネット１１と、キャビネット１１の前面に装着されるフロントカバー１２と、フロントカバー１２の略中央部に回動可能に装着されるドア１３と、キャビネット１１内部に装着されて洗濯水が貯水されるタブ１５と、タブ１５内部に収容され、内側に洗濯物が投入されるドラム１４とを含む。
【００２５】
また、洗濯機１０は、フロントカバー１２の上部一方からキャビネット１１内部に挿入され、洗剤及び繊維柔軟剤などが貯蔵される洗剤ボックス１８と、洗剤ボックス１８が収容され、流入する洗濯水の流れをガイドするディスペンサ１７と、キャビネット１１の背面に装着されて洗濯水を供給する給水バルブ１６とを含む。より詳細には、給水バルブ１６とディスペンサ１７は給水ホースによって連結される。
【００２６】
さらに、洗濯機１０は、タブ１５の上部一方に装着され、乾燥過程でドラム１４内部に流入する熱風を供給する乾燥ダクトアセンブリ２０と、フロントカバー１２の前面に装着され、洗濯条件を入力するための入力部、洗濯過程を表示する表示部が備えられたコントロールパネル１９とをさらに含む。
【００２７】
さらに、図示していないが、キャビネット１１内部に装着され、一端はタブ１５に連結され、他端は乾燥ダクトアセンブリ２０に連結される凝縮ダクトをさらに含む。さらに、凝縮ダクトの上側には冷却水を供給する給水ホースが連結され、冷却水が凝縮ダクト上部から落下する。
【００２８】
以下、上記の構成を有する本発明の洗濯機の作動について説明する。
【００２９】
まず、ユーザはドア１３を開けて洗濯物をドラム１４内部に投入する。そして、洗剤ボックス１８を引き出して洗剤及び繊維柔軟剤を投入する。そして、コントロールパネル１９に備えられたボタンなどを押して洗濯条件を入力し、作動ボタンを押す。そして、作動ボタンが押されると洗濯機１０に電源が供給され、入力された洗濯条件に応じて洗濯、すすぎ、脱水、及び乾燥過程が実行される。
【００３０】
一方、入力された条件に乾燥過程が含まれる場合、脱水過程が終了すると乾燥ダクトアセンブリ２０内部に装着されたヒータ（後述する）に電源が供給されて加熱される。そして、ドラム１４は低速で回転し、洗濯物の上昇及び落下過程を繰り返す。そして、乾燥ダクトアセンブリ２０内部に装着された乾燥ファン（後述する）が作動してドラム１４の前方に吐出される空気を吸入する。すると、ドラム１４内部の空気は凝縮ダクトに沿って乾燥ダクトアセンブリ２０に流入して高温乾燥状態に変化する。そして、高温乾燥空気は再びドラム１４内部に流入し、洗濯物に含まれる水分を吸収して高温多湿の状態に変化する。そして、高温多湿の状態の湿り蒸気は再びドラム１４外部に排出されて凝縮ダクトに沿って上昇する。
【００３１】
ここで、凝縮ダクトの上側から冷却水が落下しながら、上昇する高温多湿の湿潤空気と熱交換する。すなわち、高温多湿の湿り蒸気は凝縮ダクトを通過して低温状態に変化し、湿り蒸気中に含まれる水分は凝縮されてタブ１５内部に再び流れ込む。そして、タブ１５内部に流入した凝縮水は底面に装着された配水ポンプに移動する。そして、凝縮ダクトに沿って上昇する湿り蒸気は低温乾燥状態に変化する。そして、凝縮ダクトに沿って上昇する空気は乾燥ダクトアセンブリ２０内部に流入し、高温乾燥状態に加熱され、ドラム１４内部に流入する循環過程を設定時間繰り返す。
【００３２】
図２は本発明の思想による乾燥ダクトアセンブリを示す外観斜視図であり、図３は乾燥ダクトアセンブリの分解斜視図である。
【００３３】
図２及び図３に示すように、本発明による乾燥ダクトアセンブリ２０は、ダクトロア２１と、ダクトロア２１の上部に装着されるダクトアッパ２２と、ダクトロア２１の上部枠に装着されて空気の漏洩を防止するダクトシール（duct sealing）２８と、ダクトロア２１の一端部に装着されるファンアセンブリ２４と、ダクトロア２１の他端部に装着され、乾燥ダクトアセンブリ２０がタブ１５と連結されるようにするダクトコネクタ２３と、乾燥ダクトアセンブリ２０内部に装着されて高温の熱を発生するヒータ２５と、ダクトロア２１の内側に装着されてダクトロア２１から所定間隔離隔して装着されるリフレクタ２７と、ヒータ２５が乾燥ダクトロア２１から所定距離離隔した状態で固定されるようにするヒータブラケット２６とを含む。
【００３４】
より詳細には、ファンアセンブリ２４は、空気が軸方向に流入して半径方向に排出できるようにする乾燥ファン２４１と、乾燥ファン２４１の上方に位置して乾燥ファン２４１を回転させるファンモータ２４４と、乾燥ファン２４１によって吸入される空気の流れをガイドするエアガイド２４２と、エアガイド２４２の上面から所定の高さと直径で突出してファンモータ２４４を収容するモータハウジング２４３と、モータハウジング２４３の上面に装着されてファンモータ２４４を支持するモータマウント２４５とからなる。
【００３５】
また、ダクトロア２１の側面中央部には過熱防止センサ２９が装着され、乾燥ダクトアセンブリ２０内部が過熱することを防止する。さらに、ダクトロア２１の端部、すなわちダクトコネクタ２３が装着される部位の一方に温度センサ３０が装着され、タブ１５内部に流入する空気が適正温度で流入しているか否かを感知する。つまり、タブ１５内部に流入する空気の温度を感知して約１２０℃を維持するように機能する。また、ダクトシール２８により、ダクトロア２１とダクトアッパ２２が接する部位から高温の空気が外部に漏洩することが防止される。
【００３６】
さらに、ヒータ２５は電流の流れる電線が接続される端子部２５１と、端子部２５１から所定距離離隔した所に装着され、空気の漏洩を防止するヒータシール２５２と、所定の直径と長さを有し、端子部２５１から複数回折り曲げて形成される発熱部２５３とからなる。より詳細には、ヒータシール２５２はリフレクタ２７とダクトロア２１の側面に挟まれて空気の漏洩を防止する。また、発熱部２５３は内部に熱線が内蔵されるシーズヒータである。
【００３７】
一方、ダクトロア２１とダクトコネクタ２３は、高温の空気と接触する部分であり、高温で形状が変形したり、火災が発生しないようにする耐熱性に優れた樹脂を素材に射出成形される。
【００３８】
好ましくは、適用可能な耐熱性に優れた樹脂として、エルジー化学から大韓民国特許出願第１０−２００３−００７５９４２号で出願されたシンジオタクチックポリスチレン（Syndiotactic Polystyrenes：以下ＳＰＳという）が使用される。より詳細には、ＳＰＳはポリスチレンと共にアタクチックポリスチレン（atactic polystyrenes）を触媒に均一に接触分散させて重合することによって製造される。また、上記の製造方法によって製造されたＳＰＳは、従来のスチレン系重合体が有する低い誘電率や優れた熱流動性などの利点をそのまま有し、その上高い立体規則性による耐熱性及び耐化学性を有する。
【００３９】
また、ダクトロア２１の内側上面にはリフレクタ２７がダクトロア２１の内周面に沿って付着される。より詳細には、リフレクタ２７は金属製の板材にアルミニウムコーティング処理されたものであり、ヒータ２５から発生する高温の熱に耐えることができるように効果的に設計されることを特徴とする。従って、ダクトロア２１は耐熱性に優れたＳＰＳ素材で製作され、リフレクタ２７が上面に装着されることにより、ヒータ２５から発生する高温の熱によるダクトロア２１の形状の変形の危険性が二重に回避できるという利点がある。
【００４０】
ここで、当然ながらダクトアッパ２２がＳＰＳ素材で製作されてもよく、ダクトアッパ２２の内周面にリフレクタ２７などの熱遮断部材を付着させてもよいことは、本願発明の内容から自明である。また、エアガイド２４２がＳＰＳ素材で製作されてもよいが、エアガイド２４２はヒータ２５から直接的に熱が伝達されないので、従来の一般的なプラスチック射出物で製造されてもよい。
【００４１】
一方、リフレクタ２７はダクトロア２１の上面から所定間隔離隔した状態で装着される。すなわち、リフレクタ２７とダクトロア２１との間に薄い空気層が形成されるようにし、リフレクタ２７に伝えられた熱がダクトロア２１に直接伝導することを防止する。
【００４２】
また、リフレクタ２７の一端部、すなわちファンアセンブリ２４が装着される側のダクトロア２１の内周面に所定の高さの段差部が形成されるようにし、空気層内部に毛羽などが流入することを防止する。これについての詳細な説明は図面を参照して後述する。
【００４３】
以下、上記の構成を有する乾燥ダクトアセンブリ２０の機能及び作動について説明する。
【００４４】
まず、乾燥過程が開始するとファンモータ２４４に電源が供給されて乾燥ファン２４１が回転し、ヒータ２５に電源が供給されて高温に加熱される。そして、乾燥ファン２４１の回転によってドラム１４内部の空気が吸入される。そして、吸入された空気はダクトロア２１とダクトアッパ２２との間に形成される空気流路に沿って流れ、ヒータ２５と熱交換して高温に加熱される。そして、高温に加熱された空気はダクトコネクタ２３を介してタブ１５内部に流入する。そして、タブ１５内部に流入した空気は、ドラム１４内部の洗濯物に含まれる水分を蒸発させて洗濯物を乾燥させる。
【００４５】
図４は本発明の思想による乾燥ダクトアセンブリを構成するダクトロアの外観斜視図である。
【００４６】
図４に示すように、本発明によるダクトロア２１は縦断面が略Ｕ字状をなす。
【００４７】
より詳細には、ダクトロア２１の一端部には、所定の直径を有するファン装着部２１１ａが形成される。また、ファン装着部２１１ａの底には、空気を流入させる空気流入口２１１が形成される。また、ファン装着部２１１ａの略接線方向に長く空気流路が形成される。ここで、空気流路はファン装着部２１１ａの接線部分から幅方向に延びた形状を有する。従って、ファン装着部２１１ａの内周面に沿って回転して空気流路に吐出される空気の流速が低下し、ヒータ２５と熱交換する時間が長くなる。
【００４８】
一方、ダクトロア２１の側面には、ヒータシール２５２が挿入されるためのヒータシール装着溝２１７と、過熱防止センサ２９が挿入されるための過熱防止センサ装着溝２１８が形成される。また、ダクトロア２１の上側枠部にはダクトシール２８が装着される。さらに、ダクトロア２１の他端部には、高温の空気がタブ１５方向に流出するための流出口２１２が形成される。さらに、ダクトロア２１の他端部側面には、温度センサ３０が装着されるための温度センサ孔２１９（図５参照）が形成される。
【００４９】
また、ダクトロア２１の上側枠部側面には所定の長さのガイドボス２１０が複数形成され、ダクトアッパ２２が定位置に結合されるようにする。さらに、ガイドボス２１０から所定距離離隔した位置に、下方に所定の長さで延びる締結ボス２１０ａが形成される。より詳細には、ダクトアッパ２２がダクトロア２１の上面に装着された状態で、締結部材が締結ボス２１０ａに挿入される。
【００５０】
また、ダクトロア２１の内周面の底には、所定の高さで隆起したヒータブラケット支持部２１３が形成される。より詳細には、ヒータブラケット支持部２１３の上部にヒータブラケット２６が装着される。また、ヒータ２５はヒータブラケット２６によって支持される。ヒータブラケット支持部２１３の形状については、下記で図面を参照してより詳細に説明する。
【００５１】
さらに、ダクトロア２１の内周面には支持リブ２１６が連続的又は不連続的に形成され、リフレクタ２７がダクトロア２１から離隔するようにする。さらに、ファン装着部２１１ａから所定距離離隔した地点には、下方に所定の高さを有する段差状の段差部２１５が形成される。支持リブ２１６と段差部２１５についての説明は後述する。
【００５２】
上記の形状を有するダクトロア２１により、流入口２１１から流入した空気はヒータ２５によって高温に加熱され、流出口２１２からダクトコネクタ２３に流れる。そして、最終的にはタブ１５内部に流入する。
【００５３】
図５は図４のＩ−Ｉ'線断面図であり、図６は図５のＡ部分の拡大図である。
【００５４】
図５及び図６に示すように、リフレクタ２７がダクトロア２１から所定距離離隔した状態を維持するためのリフレクタ離隔手段として、ダクトロア２１の内部底面に所定の高さで突出する支持リブ２１６が形成されるようにする。
【００５５】
より詳細には、支持リブ２１６は、ダクトロア２１の側面及び底部に沿って連続的に形成することもでき、複数の短いリブ２１６を所定間隔で形成することもできる。さらに、リフレクタ離隔手段として、リブ形態ではない所定の高さを有する複数の支持ボスをダクトロア２１の内周面に形成することもできる。もちろん、支持リブ２１６と支持ボスは、ダクトロア２１の射出成形過程で一体に形成されることが好ましい。
【００５６】
図７はリフレクタ離隔手段の他の実施形態を示す断面図である。
【００５７】
図７に示すように、リフレクタ２７がダクトロア２１から離隔して装着されるようにするために、リフレクタ２７のある一部分が所定の深さで陥没するように成形部２７４が少なくとも１つ形成されるようにする。
【００５８】
より詳細には、リフレクタ２７は、薄い金属板材が板金工程によって製作され、製作過程でリフレクタ２７の上面に力を加えて下方に所定の深さで陥没するようにする。こうすると、成形部２７４の端部とダクトロア２１は線接触し、リフレクタ２７からダクトロア２１への熱伝導が最小化できる。
【００５９】
図８は図５のＢ部分の拡大図である。
【００６０】
図８に示すように、リフレクタ２７がダクトロア２１から所定距離離隔して装着されるので、リフレクタ２７とダクトロア２１との間に形成される隙間に毛羽などの流入を遮断する毛羽流入防止手段が求められる。このために、リフレクタ２７の一端部、より詳細にはファンアセンブリ２４側の端部に隙間が形成されることを防止するために、ダクトロア２１に段差部２１５が形成されるようにする。
【００６１】
より詳細には、ダクトロア２１の上面から下方に所定の深さを有する段差状の段差部２１５が形成されるようにし、リフレクタ２７の端部が段差部２１５に接するようにする。このような結合構造により、毛羽がダクトロア２１とリフレクタ２７との隙間に流入することを防止できる。それだけでなく、リフレクタ２７の底面とダクトロア２１の底面が同一平面上でなめらかに連結され、乾燥ファン２４１によって吸入される空気がダクト内部に沿って流れる際に流動抵抗を受けないという効果もある。
【００６２】
図９は毛羽流入防止手段の他の実施形態を示す断面図である。
【００６３】
図９に示すように、リフレクタ２７とダクトロア２１との隙間に毛羽が流入することを防止すると同時に、リフレクタ２７の端部が上方に反るか、又は持ち上げられてダクトロア２１の底面と同一平面を形成できなくなることを防止するための手段がさらに備えられる。
【００６４】
より詳細には、図８で提示された段差部２１５の上部に、水平方向に所定の長さで延びる延長部２１５ａが形成されるようにする。また、延長部２１５ａの下側に形成される溝にリフレクタ２７の端部が挿入されるようにする。その結果、リフレクタ２７の端部は、延長部２１５ａによって上方に持ち上げられたり、それ自体が揺動する現象が防止される。
【００６５】
ここで、延長部２１５ａが乾燥ファン２４１によって吸入された空気が流れる方向に延びるので、空気の流れを妨害する流動抵抗が発生しない。
【００６６】
図１０は本発明の思想によるリフレクタを示す外観斜視図である。
【００６７】
図１０に示すように、本発明によるリフレクタ２７は、前述したように、金属板材が板金工程によって切断されたり、折り曲げられて形成される。また、外周面がアルミニウムコーティング処理されることにより、高温での形状の変形を最小化した。ここで、ダクトアッパ２２もリフレクタ２７と同一素材で製作され、ダクトアッパ２２の内側にリフレクタ２７などの別途の熱遮断部材が装着されなくてもよい。
【００６８】
より詳細には、リフレクタ２７の底面には所定の高さで突出するヒータブラケット支持部２７３が形成され、ヒータブラケット支持部２７３は底面下側から上方に打撃して突出するように形成される。
【００６９】
より詳細には、ヒータブラケット支持部２７３の上面には所定の深さで陥没する陥没部２７３ａが形成され、陥没部２７３ａの中央には締結部材が挿入されるための締結孔２７３ｂが形成される。また、陥没部２７３ａにはヒータブラケット２６の下端部が装着されて揺動が防止される。これについての詳細な説明は図面を参照して後述する。
【００７０】
また、リフレクタ２７の側面には、ヒータシール２５２が装着されるヒータシール装着溝２７１と、過熱防止センサ２９が装着される過熱防止センサ孔２７２が形成される。また、リフレクタ２７の一端部はダクトロア２１の段差部２１５に接触し、他端部にはダクトロア２１の端部と同様に流出口が形成される。より詳細には、リフレクタ２７の他端部はダクトロア２１の内周面に沿ってダクトコネクタ２３と連結される部分まで延びる。従って、ヒータ２５によって加熱された空気がタブ１５内部に流入する過程において、ダクトロア２１の形状が変形したり、溶ける現象が防止される。
【００７１】
また、リフレクタ２７の側面に形成される過熱防止センサ孔２７２は、ヒータシール装着溝２７１のようにリフレクタ２７の側面上端部から所定の深さで陥没する形状ではなく、閉曲線形状をなす。これは下記のような理由による。
【００７２】
より詳細には、過熱防止センサ２９の外周面にはシール（sealing）部材が巻かれ、シール部材はゴム素材で製作されるのが一般的である。また、過熱防止センサ２９の外周面に巻かれるシール部材が熱によって損傷すると、過熱防止センサ２９の感知面を覆って熱感知が正常に作動しない恐れがある。従って、過熱防止センサ２９に巻かれるシール部材が熱から最大限保護されるようにするために、過熱防止センサ孔２７２は過熱防止センサ２９の感知面だけを熱に露出させる閉曲線形状であることが好ましい。
【００７３】
図１１は図２のII−II'線断面図であり、図１２は図１１のＣ部分の拡大図である。
【００７４】
図１１及び図１２に示すように、本発明による乾燥ダクトアセンブリ２０は、下側のダクトロア２１と、ダクトロア２１の上側を覆うダクトアッパ２２と、ダクトロア２１の内周面に装着されるリフレクタ２７と、リフレクタ２７の上部に装着されてヒータ（図示せず）を支持するヒータブラケット２６とを含む。
【００７５】
より詳細には、ダクトロア２１の底面の略中央部には、所定の高さで突出するヒータブラケット支持部２１３が形成される。また、ヒータブラケット支持部２１３の上面には所定の大きさと深さで陥没する陥没部２１３ａが形成され、陥没部２１３ａの中央には下方に所定の長さで延びて締結部材４０が挿入されるようにする締結ボス２１３ｂが形成される。
【００７６】
さらに、リフレクタ２７の底面にも、ダクトロア２１に形成されるヒータブラケット支持部２１３と同じ形状のヒータブラケット支持部２７３が形成される。さらに、ヒータブラケット支持部２７３の上面には陥没部２７３ａが形成され、陥没部２７３ａの中央には締結部材４０が挿入されるための締結孔２７３ｂが形成される。さらに、陥没部２７３ａにはヒータブラケット２６の下端部が装着される。
【００７７】
前述したように、ヒータブラケット２６の上部はヒータ２５の発熱部２５３に結合される。また、ヒータブラケット２６の下部は陥没部２７３ａに装着される。従って、締結部材４０の締結が緩んだり、締結ボス２１３ｂから脱離しても、ヒータブラケット２６がヒータブラケット支持部２７３から脱離する現象が防止される。すなわち、ヒータブラケット２６の上下端部がそれぞれヒータ２５とヒータブラケット支持部２７３によって固定される。
【００７８】
また、締結部材４０は、ヒータブラケット２６がダクトロア２１及びリフレクタ２７に固定されるようにする機能だけでなく、リフレクタ２７がダクトロア２１に締結されるようにする機能も果たす。
【００７９】
一方、図示されていないが、ダクトアッパ２２が射出成形されたＳＰＳで製作される場合、ダクトアッパ２２の内周面にリフレクタ２７などの部材が装着できる。
【００８０】
図１３はリフレクタとダクトロアとの締結方法の他の実施形態を示す図である。
【００８１】
図１３に示すように、ダクトロア２１の上面に、所定の直径と高さで突出する固定突起２１０ｂが形成されるようにする。
【００８２】
より詳細には、固定突起２１０ｂは、ダクトロア２１の射出成形過程で一体に形成される。また、固定突起２１０ｂは少なくとも１つ形成される。さらに、固定突起２１０ｂは、支持リブ２１６より若干長く形成されるようにすることが望ましい。その理由は下記に説明する。
【００８３】
前述したように、固定突起２１０ｂが形成されたダクトロア２１の上面にリフレクタ２７が装着されるようにする。ここで、リフレクタ２７の底面には固定突起２１０ｂを貫通させるための孔が形成されるようにし、固定突起２１０ｂが孔に貫挿されるようにする。また、リフレクタ２７が支持リブ２１６に装着されると、固定突起２１０ｂがリフレクタ２７を貫通して突出する。さらに、突出する固定突起２１０ｂの上面は熱融着によって溶け落ちるようにする。すると、リフレクタ２７の底面に固定突起２１０ｂの上面が固着される。上記の過程により、固定突起２１０ｂが締結部材としての機能を果たすようにする。また、固定突起２１０ｂの上面が溶けて放射状に広がり、リフレクタ２７に形成された固定突起の貫通する孔が完全に密閉される。従って、孔から毛羽などがリフレクタ２７とダクトロア２１との間の空間に侵入することが防止される。
【００８４】
図１４は図１１のＤ部分の拡大図である。
【００８５】
図１４に示すように、本発明のリフレクタ２７はダクトロア２１の内周面に沿って同じ形状に形成される。
【００８６】
より詳細には、リフレクタ２７の側面部は、ダクトロア２１の側面部より長く形成されるようにし、ダクトロア２１の上面から突出するように形成することを特徴とする。
【００８７】
図に示すように、リフレクタ２７の側面上端部がダクトロア２１の側面上端部より高く形成されることにより、ダクトアッパ２２が装着される際に定位置に装着されるようにガイドする。また、リフレクタ２７の側面端部が長く延びることにより、乾燥ダクトアセンブリ２０内部を流れる高温の空気によってダクトロア２１の上面に挟まれたダクトシール２８が損傷する現象が防止される。より詳細には、ダクトシール２８はゴム素材で製作されるのが一般的であり、ゴム素材は熱に非常に弱いという短所がある。従って、ダクトシール２８が高温の空気と接触して熱損傷が起こることを防止する手段が必要となるが、リフレクタ２７の側面部の長さを適切に調節することによってのような目的が容易に達成できる。
【００８８】
その上、リフレクタ２７の側面端部がダクトロア２１の側面端部より長く形成されることにより、高温の空気が乾燥ダクトアセンブリ２０外部に漏洩する現象が防止される。さらに、リフレクタ２７の側面端部とダクトシール２８により、空気の漏洩が二重に防止される。
【産業上の利用可能性】
【００８９】
上記のような乾燥ダクトアセンブリ構造により、乾燥ダクトアセンブリの荷重が軽くなると共に、耐熱性が強化されるので、製造コストが減少し、安全性が確保されるという効果を有し、産業上の利用可能性が非常に高い。
【図面の簡単な説明】
【００９０】
【図１】本発明の思想による乾燥ダクトアセンブリが備えられた洗濯機を示す外観斜視図である。
【図２】本発明の思想による乾燥ダクトアセンブリを示す外観斜視図である。
【図３】乾燥ダクトアセンブリの分解斜視図である。
【図４】本発明の思想による乾燥ダクトアセンブリを構成するダクトロアの外観斜視図である。
【図５】図４のＩ−Ｉ'線断面図である。
【図６】図５のＡ部分の拡大図である。
【図７】リフレクタ離隔手段の他の実施形態を示す断面図である。
【図８】図５のＢ部分の拡大図である。
【図９】毛羽流入防止手段の他の実施形態を示す断面図である。
【図１０】本発明の思想によるリフレクタを示す外観斜視図である。
【図１１】図２のII−II'線断面図である。
【図１２】図１１のＣ部分の拡大図である。
【図１３】リフレクタとダクトロアとの締結方法の他の実施形態を示す図である。
【図１４】図１１のＤ部分の拡大図である。
【図１】
2009504307.tif 000003
【図２】
2009504307.tif 000004
【図３】
2009504307.tif 000005
【図４】
2009504307.tif 000006
【図５】
2009504307.tif 000007
【図６】
2009504307.tif 000008
【図７】
2009504307.tif 000009
【図８】
2009504307.tif 000010
【図９】
2009504307.tif 000011
【図１０】
2009504307.tif 000012
【図１１】
2009504307.tif 000013
【図１２】
2009504307.tif 000014
【図１３】
2009504307.tif 000015
【図１４】
2009504307.tif 000016
【国際調査報告】
2009504307.tif 000017
2009504307.tif 000018